(57)【要約】【課題】容器本体や容器蓋と一体成形が可能で、容器本体への容器蓋の着脱が容易で、しかも、簡単には外れることがない容器蓋の固定構造を提供する。【解決手段】容器本体１１の上部開口に被着される容器蓋１７の固定構造であって、容器本体１１の上部開口周縁のフランジ１５に弾性係合片２２と位置決め凹部２３とを設けるとともに、前記フランジ２５に対向する前記容器蓋１７の周縁１８下面に前記弾性係合片２２に係合する係合突片２４と前記位置決め凹部２３に係合する位置決め突片２５とを設ける。【選択図】図１
2007253955.tif 000002
【特許請求の範囲】
【請求項１】
容器本体の上部開口に被着される容器蓋の固定構造であって、前記容器本体の上部開口周縁のフランジに弾性係合片と位置決め凹部とを設けるとともに、前記フランジに対向する前記容器蓋の下面に前記弾性係合片に係合する係合突片と前記位置決め凹部に係合する位置決め突片とを設けたことを特徴とする容器蓋の固定構造。
【請求項２】
前記弾性係合片は、前記フランジに設けた互いに平行な方向の一対のスリットと、両スリットの一端同士を連結する端部スリットとにより区画形成され、前記係合突片は、前記端部スリットのスリット幅以下の板厚を有する挿入片と、該挿入片の先端から弾性係合片方向に突出した係合頭部とを有し、該係合頭部は、前記端部スリットを通過する際に前記弾性係合片を弾性変形させながら通過する形状に形成されていることを特徴とする請求項１記載の容器蓋の固定構造。
【請求項３】
前記容器蓋の上面に、該容器蓋同士を積み重ねた際に、上方に積み重ねた容器蓋の前記係合突片及び前記位置決め突片を収納する収納凹部が設けられていることを特徴とする請求項１又は２記載の容器蓋の固定構造。
【発明の詳細な説明】
【技術分野】
【０００１】
本発明は、容器蓋の固定構造に関し、詳しくは、合成樹脂製容器本体の上部開口に被着される容器蓋を容器本体から容易に外れないようにするための容器蓋の固定構造に関する。
【背景技術】
【０００２】
合成樹脂製容器本体の上部開口に容器蓋を被着する際の固定構造として、上部開口上縁と容器蓋周縁下面とに係合凹部と係合凸部とをそれぞれ形成し、凹凸係合によって容器蓋を容器本体に固定したり、上部開口周縁と容器蓋周縁とを容器とは別に形成したコ字状のスライドフックで挟むことにより固定したりするものが知られている（例えば、特許文献１，２参照。）。
【特許文献１】実開平２−７３１２６号公報
【特許文献２】実開平５−１９１４８号公報
【発明の開示】
【発明が解決しようとする課題】
【０００３】
しかし、凹凸係合させるものでは、寸法精度が十分ではないと、容器蓋の着脱が困難になったり、容器蓋が外れ易くなるという問題があり、また、スライドフックを使用するものでは、容器とは別にフックを管理しなければならないという問題がある。また、容器本体上部に回転式のロック部材を取り付けたものもあるが、容器本体を成形後に別工程でロック部材を取り付けるため、製造コストの上昇が避けられない。
【０００４】
そこで本発明は、容器本体や容器蓋と一体成形が可能で、容器本体への容器蓋の着脱が容易で、しかも、簡単には外れることがない容器蓋の固定構造を提供することを目的としている。
【課題を解決するための手段】
【０００５】
上記目的を達成するため、本発明の容器蓋の固定構造は、容器本体の上部開口に被着される容器蓋の固定構造であって、前記容器本体の上部開口周縁のフランジに弾性係合片と位置決め凹部とを設けるとともに、前記フランジに対向する前記容器蓋の下面に前記弾性係合片に係合する係合突片と前記位置決め凹部に係合する位置決め突片とを設けたことを特徴としている。
【０００６】
さらに、本発明の容器蓋の固定構造は、前記弾性係合片は、前記フランジに設けた互いに平行な方向の一対のスリットと、両スリットの一端同士を連結する端部スリットとにより区画形成され、前記係合突片は、前記端部スリットのスリット幅以下の板厚を有する挿入片と、該挿入片の先端から弾性係合片方向に突出した係合頭部とを有し、該係合頭部は、前記端部スリットを通過する際に前記弾性係合片を弾性変形させながら通過する形状に形成されていることを特徴としている。
【０００７】
また、前記容器蓋の上面に、該容器蓋同士を積み重ねた際に、上方に積み重ねた容器蓋の前記係合突片及び前記位置決め突片を収納する収納凹部が設けられていることを特徴としている。
【発明の効果】
【０００８】
本発明の容器蓋の固定構造によれば、位置決め凹部と位置決め突片とを係合させることにより、弾性係合片と係合突片とを確実に所定位置で係合させることができ、弾性係合片の弾性変形を利用して係合突片を係合させるので、多少の寸法誤差があっても容器本体に容器蓋を確実に固定することができる。また、弾性係合片及び位置決め凹部は容器本体と、係合突片及び位置決め突片は容器蓋と、それぞれ一体成形することが可能であるから、製造コストの削減も図れる。
【発明を実施するための最良の形態】
【０００９】
図１は本発明の容器蓋の固定構造の一形態例を示す斜視図、図２は要部の斜視図、図３は同じく要部の断面正面図、図４は図３のIV−IV断面図、図５は図３のＶ−Ｖ断面図、図６は図３のVI−VI断面図である。
【００１０】
まず、容器本体１１は、長方形状の底板１２の四辺に短辺板１３と長辺板１４とをそれぞれ立設した箱状に形成されており、上部開口の周縁には水平方向のフランジ１５が設けられ、各短辺板１３及び長辺板１４の外面には複数の補強リブ１６が設けられている。容器蓋１７は、容器本体１１の上部開口を覆う大きさの長方形状で、その周縁１８の下面は、前記フランジ１５の上面に対向する平面状に形成されており、周縁１８の内側は、上部開口内に僅かに落ち込む凹状面１９となっている。
【００１１】
容器蓋１７を容器本体１１に固定するための嵌合部２１は、短辺板１３のフランジ中央部と、これに対向する容器蓋１７の短辺側周縁１８の中央部とに設けられており、容器本体１１側には弾性係合片２２と位置決め凹部２３とが設けられ、容器蓋１７側には係合突片２４と位置決め突片２５とが設けられている。
【００１２】
弾性係合片２２は、フランジ１５から僅かに凹んだ凹面部２６内に対向するようにして２箇所に設けられていて、互いに平行な方向の一対のスリット２７ａと、両スリット２７ａの一端同士を連結する端部スリット２７ｂとからなるコ字状のスリットにより区画形成されたもので、これによって弾性係合片２２の先端部が上下方向に弾性変形可能となっている。
【００１３】
一方、前記係合突片２４は、前記弾性係合片２２を形成する両端部スリット２７ｂの位置に対応した周縁１８の下面から下方に向けてそれぞれ突設されたものであって、端部スリット２７ｂのスリット幅以下の板厚で、かつ、容器蓋１７を容器本体１１に被着したときに、端部スリット２７ｂを通過する長さを有する挿入片２４ａと、該挿入片２４ａの先端から弾性係合片２２の方向に突出した係合頭部２４ｂとを有している。この係合頭部２４ｂは、前記端部スリット２７ｂのスリット幅より僅かに大きく形成されており、端部スリット２７ｂを通過する際に弾性係合片２２を弾性変形させながら通過する形状で、容器蓋１７を容器本体１１に被着するとき、係合頭部２４ｂが端部スリット２７ｂを通過した後、係合突片２４が初期位置に戻るように形成されている。
【００１４】
また、位置決め凹部２３は、前記両弾性係合片２２の中間部で、フランジ１５の内側部分から短辺板１３の内面上部にわたる斜面２３ａの両側に上下方向のガイド面２３ｂを設けた溝により形成されている。位置決め突片２５は、前記位置決め凹部２３に対応して周縁１８の下面内側部分から下方に向かって突出しており、容器外方側の面は、位置決め凹部２３の斜面２３ａに対応した斜面２５ａとなっており、位置決め突片２５の厚さは、位置決め凹部２３の溝幅より僅かに小さく形成され、端面は曲面となっている。
【００１５】
このような嵌合部２１からなる固定構造を備えた容器本体１１に容器蓋１７を被着する際、位置決め突片２５が位置決め凹部２３に進入して容器蓋１７の位置決めを行うとともに、係合突片２４の係合頭部２４ｂが弾性係合片２２の先端部を下方に向けて弾性変形させながら端部スリット２７ｂを通過し、係合頭部２４ｂが通過した後の係合突片２４が初期位置に弾性復元する。
【００１６】
このとき、弾性係合片２２を凹面部２６に設けたことにより、位置決め突片２５の先端が位置決め凹部２３に進入してから係合頭部２４ｂが端部スリット２７ｂに進入する状態にできるので、弾性係合片２２と係合突片２４とを確実に係合させることができ、係合突片２４の破損も防止できる。また、位置決め突片２５の容器外方側を斜面２５ａとし、端面を曲面としているので、位置決め凹部２３への位置決め突片２５の進入を円滑に行うことができる。
【００１７】
この容器蓋１７の被着状態では、位置決め凹部２３と位置決め突片２５との係合によって容器本体１１に対する容器蓋１７の位置ズレが防止され、容器蓋１７の上方への動きは、係合頭部２４ｂが係合突片２４の先端下縁に当接することによって防止されている。したがって、容器本体１１に対して容器蓋１７を上方から軽く押し付けるだけで容器本体１１に容器蓋１７を取り付けることができ、この状態で容器蓋１７に多少の外力が加わっても容器蓋１７が容器本体１１から外れることはない。
【００１８】
また、容器本体１１から容器蓋１７を取り外す際には、容器蓋１７を上方に持ち上げることにより、係合頭部２４ｂが係合突片２４の先端部を上方に向けて弾性変形させながら端部スリット２７ｂを通過するので、簡単に容器蓋１７を容器本体１１から取り外すことができる。
【００１９】
さらに、容器蓋１７の上面には、該容器蓋１７同士を積み重ねた際に、上方に積み重ねた容器蓋１７の前記係合突片２４及び前記位置決め突片２５を収納する収納凹部２８が設けられている。この収納凹部２８は、係合突片２４が挿入される凹部２８ａと位置決め突片２５が挿入される溝部２８ｂとを有しており、容器蓋１７同士を積み重ねた際に、上方に積み重ねた容器蓋１７の係合突片２４が下方の容器蓋１７の凹部２８ａに、位置決め突片２５が下方の容器蓋１７の溝部２８ｂに、それぞれ挿入されて収納されることにより、容器蓋１７同士を安定した状態で積み重ねることができるようにしている。
【００２０】
これにより、多数の容器本体１１内に各種物品を収納する場合に、容器蓋１７を取り外して一時的に保管する際の容器蓋１７の保管性が向上し、容器蓋１７の紛失や破損も防止することができる。
【００２１】
なお、嵌合部２１は長辺板１４に設けることもでき、両板１３，１４にそれぞれ設けることもできる。また、一辺に２箇所以上設けることも可能である。さらに、容器本体１１や容器蓋１７の形状は、収納物や容積等の条件に応じて任意に選択することができる。
【図面の簡単な説明】
【００２２】
【図１】本発明の容器蓋の固定構造の一形態例を示す斜視図である。
【図２】要部の斜視図である。
【図３】同じく要部の断面正面図である。
【図４】図３のIV−IV断面図である。
【図５】図３のＶ−Ｖ断面図である。
【図６】図３のVI−VI断面図である。
【符号の説明】
【００２３】
１１…容器本体、１２…底板、１３…短辺板、１４…長辺板、１５…フランジ、１６…補強リブ、１７…容器蓋、１８…周縁、１９…凹状面、２１…嵌合部、２２…弾性係合片、２３…位置決め凹部、２３ａ…斜面、２３ｂ…ガイド面、２４…係合突片、２４ａ…挿入片、２４ｂ…係合頭部、２５…位置決め突片、２５ａ…斜面、２６…凹面部、２７ａ…スリット、２７ｂ…端部スリット、２８…収納凹部、２８ａ…凹部、２８ｂ…溝部
【図１】
2007253955.tif 000003
【図２】
2007253955.tif 000004
【図３】
2007253955.tif 000005
【図４】
2007253955.tif 000006
【図５】
2007253955.tif 000007
【図６】
2007253955.tif 000008